(57)【要約】  【課題】記録媒体に記録されたデジタル画像の写真プリントの注文操作を迅速に実行でき、プリント注文受付を効率よく行うことができるプリント注文受付装置を提供する。  【解決手段】記録媒体に記録された画像の画像データを読み取る読取手段と、画像を表示するディスプレイと、記録媒体に記録された画像のプリント注文の入力手段と、読取手段が読み取った画像をディスプレイに表示し、この表示画像を用いた入力手段による注文指示を受けて、注文情報を生成する１の処理系と、第１の処理系による処理と並行して、読取手段が読み取った画像データを記憶手段に記憶する第２の処理系とを有し、第１の処理系が生成した注文情報と、第２の処理系において記憶手段に記憶した画像データとを、対応付けして出力することにより、上記課題を達成する。【選択図】図１
2004318129.tif 000002
【特許請求の範囲】
【請求項１】
記録媒体に記録された画像の画像データを読み取る読取手段と、
前記読取手段によって読み取られた画像データの画像を表示するディスプレイと、
前記記録媒体に記録された画像のプリント注文の入力手段と、
前記読取手段が読み取った画像データの画像を前記ディスプレイに表示し、この表示画像を用いた前記入力手段による注文指示を受けて、注文情報を生成する第１の処理系と、
前記読取手段によって読み取られた画像の画像データを記憶する第１の記憶手段と、
前記第１の処理系による処理と並行して、前記読取手段が読み取った画像データを前記第１の記憶手段に記憶する第２の処理系とを有し、
前記第１の処理系が生成した注文情報と、前記第２の処理系において前記第１の記憶手段に記憶した画像データとを、対応付けして出力することを特徴とするプリント注文受付装置。
【請求項２】
前記ディスプレイに表示される画像は、前記第１処理系が前記注文情報を生成するために、前記入力手段による注文指示を行うための操作表示用コマ画像サイズに合う小サイズ画像またはサムネイル画像である請求項１に記載のプリント注文受付装置。
【請求項３】
前記第１の処理系は、前記読取手段が読み取った画像の画像データの画像ファイルの形式に応じて、所要の画像を前記ディスプレイに表示する請求項１または２に記載のプリント注文受付装置。
【請求項４】
前記画像ファイルの形式は、前記読取手段が前記画像ファイルのヘッダのみを読み取って、前記第１の処理系が、読み取られたヘッダのみを解析して判定する請求項３に記載のプリント注文受付装置。
【請求項５】
前記第１の処理系は、
前記画像ファイルが前記サムネイル画像を有する画像ファイルの場合には、このサムネイル画像を前記ディスプレイに表示し、
前記サムネイル画像を有さない非圧縮画像データの画像ファイルの場合には、非圧縮画像データをリサイズした画像を前記ディスプレイに表示し、
前記サムネイル画像を有さない圧縮画像データのファイルの場合には、圧縮画像データを解凍してリサイズした画像を前記ディスプレイに表示する請求項３または４に記載のプリント注文受付装置。
【請求項６】
前記リサイズした画像は、前記第１処理系が前記注文情報を生成するために、前記入力手段による注文指示を行うための操作表示用コマ画像サイズに合う小サイズ画像またはサムネイル画像である請求項５に記載のプリント注文受付装置。
【請求項７】
前記第２の処理系において前記画像の画像データを記憶する前記第１の記憶手段とは別に、前記第１の処理系が注文情報を生成するために、前記ディスプレイに表示された画像を記憶する第２の記憶手段を有する請求項１〜６のいずれかに記載のプリント注文受付装置。
【請求項８】
前記第１の記憶手段は、前記読取手段、前記ディスプレイ、前記入力手段および前記第１の処理系とを備える受付装置本体と、別体の外部記憶手段である請求項１〜７のいずれかに記載のプリント注文受付装置。
【請求項９】
前記第１の記憶手段および前記第２の処理系を備えるプリント先振分装置は、前記読取手段、前記ディスプレイ、前記入力手段および前記第１の処理系とを備える受付装置本体と、別体である請求項１〜７のいずれかに記載のプリント注文受付装置。
【請求項１０】
前記プリント先振分装置は、さらに、前記受付装置本体の前記第１の処理系によって生成された前記注文情報に対応する画像を選択して、その画像データを前記第１の記憶手段から読み出す画像選択手段を有する請求項９に記載のプリント注文受付装置。
【請求項１１】
１つの前記外部記憶手段または１台の前記プリント先振分装置には、複数の前記受付装置本体が接続される請求項８〜１０のいずれかに記載のプリント注文受付装置。
【請求項１２】
少なくとも前記第２の処理系を備える装置本体、または少なくとも前記第２の処理系を備えるプリント先振分装置には、複数のデジタルフォトプリンタが接続される請求項1〜１１のいずれかに記載のプリント注文受付装置。
【発明の詳細な説明】
【技術分野】
【０００１】
本発明は、デジタルカメラやカメラ付き携帯電話等で撮影した画像や画像のデジタル化サービス等によりＣＤ−Ｒなどの記録媒体に記録された画像の写真プリント（以下、プリントとする）の注文を受け付けるプリント注文受付装置の技術分野に属し、詳しくは、プリントの注文操作を迅速に開始することができるプリント注文受付装置に関する。
【背景技術】
【０００２】
パーソナルコンピュータ（ＰＣ）やＰＤＡ（Personal Digital Assistance)等の普及に伴い、デジタルカメラの普及率が拡大している。
デジタルカメラで撮影された画像は、ＰＣ等に取り込まれて処理され、ホームページや年賀状等の各種の用途に使用されるのが通常である。しかしながら、デジタルカメラで撮影した画像を高品位な（写真）プリントとして残したいという要望も多い。
【０００３】
他方、ネガフィルムやリバーサルフィルムなどの写真フィルム（以下、フィルムとする）に撮影された画像の感光材料（印画紙）への焼き付けは、フィルムの画像を感光材料に投影して露光する、いわゆる直接露光が主流である。
これに対し、近年では、フィルムの投影光で感光材料を露光するのではなく、フィルムを読み取って得られた画像データに応じた記録光で感光材料を露光して、プリントを作成する、デジタルフォトプリンタが実用化され、次第に普及している。
【０００４】
デジタルフォトプリンタでは、フィルムを光電的に読み取って、フィルムに撮影された画像の画像データを得、この画像データをデジタルの画像データとした後、所定の画像処理や変換等を施して記録用の画像データとし、この画像データに応じて変調したレーザビーム等の記録光によって感光材料（印画紙）を露光して、現像処理を施してプリントとして出力する。そのため、フィルムに撮影された画像のみならず、デジタルカメラなどの撮影された画像（画像データ）からも、プリントの作成を行うことができる。
また、デジタルフォトプリンタにおいては、プリント作成サービスのみならず、プリントを作成した画像のデジタル画像データや、写真フィルム等の透過原稿の画像や写真プリントなどの反射原稿の画像から読み取ったデジタル画像データを、顧客のＰＣ（パーソナルコンピュータ）で読込、表示、画像処理、加工、書込などができるように、所定のファイル形式でＣＤ−Ｒなどの記録媒体（メディア）に記録し、このようなデジタル画像データが記録された記録メディアを提供する画像のデジタル化サービスも行われている。
前述のようなデジタルカメラによって撮影した画像の高画質なプリント化の要求、およびこのようなデジタルフォトプリンタや画像のデジタル化サービスなどの普及に応じて、近年では、プリントショップやフォトラボなどの専門のプリント業者によって、デジタルカメラで撮影された画像やＣＤ−Ｒなどの記録媒体に記録された画像からのプリントや再プリントの注文受付や作成が行われている。
【０００５】
デジタルカメラで撮影した画像のプリント注文をプリント業者に依頼する場合には、通常、撮影した画像の画像データを、デジタルカメラに装着されるスマートメディアTM、ｘＤピクチャカードTMなどのデジタルカメラ用メディア等の記録媒体に記憶し、この記録媒体をプリント業者に引き渡して、プリントを注文する。一方、ＣＤ−Ｒなどの記録媒体に記録された画像のプリントや再プリントの場合には、記録媒体をそのままプリント業者に引き渡して、プリントを注文する。注文を受けたプリント業者は、専用のプリント注文受付装置（以下、受付装置とする）に記録媒体を装填し、注文等に応じてプリントを作成するコマ（画像）の選択やプリント枚数等を入力して、画像データと、プリントを作成するコマやプリント枚数などの注文情報とをデジタルフォトプリンタに出力する。
また、このような店頭受付のみならず、プリントショップやフォトラボやコンビニエンスストアなどの店頭や店内に一般のユーザが操作できる受付装置（自動受付装置）を設置し、ユーザ自身が、画像データを記録した記録媒体を受付装置に装填して、プリントを作成するコマやプリント枚数等の注文情報を入力してプリント作成を依頼することも行われている。
【０００６】
このような受付装置では、例えば特許文献１や特許文献２に示されるように、記録媒体に記録された画像データを読み取り、記録媒体に記録された各コマの画像をディスプレイに表示し、キーボードやマウス、タッチパネルディスプレイなどを用いた操作によって、プリントを作成するコマの選択やプリント枚数等の注文情報の入力を行う。
【特許文献１】特開平１１−１２５８６７号公報
【特許文献２】特開２０００−３２１６７７号公報
【発明の開示】
【発明が解決しようとする課題】
【０００７】
ところで、記録媒体に記録されている画像ファイルの形式、コマ数、プリントを作成するコマなどは、当初は受付装置にとっては未知である。また、プリント作成を依頼するユーザも、記録媒体に記録されている画像を全て覚えていることは稀であり、通常、受付装置に表示された画像を見て、プリントを注文するコマなどを決定する。
これに対応して、受付装置では、通常、記録媒体に記録された画像ファイルを、全てハードディスク等の所定の記憶手段に取り込み（ダウンロードし）、次いで、記憶手段からデータを読み出して、解析し、画像ファイル形式の認識等を行って、画像データを抽出して、コマ選択のための表示画像に加工して、ディスプレイに全コマの画像を表示する。
【０００８】
そのため、画像ファイルの取り込みの終了まで、注文操作のための各コマの画像表示等を行うことができず、従って、記録媒体を装填してから、プリントを作成するコマの選択など、受付装置における本来の操作である注文操作を開始するまでに、時間がかかる。特に、近年では、数百コマ分の画像データを記録できる記録媒体も多く、この傾向はますます顕著になっている。
【０００９】
本発明の目的は、前記従来技術の問題点を解決することにあり、デジタルカメラ等で撮影した画像（画像データ）や、ＣＤ−Ｒなどの記録媒体に記録された画像からのプリント注文や再プリント注文を受け付けるプリント注文受付装置であって、デジタルカメラ等で撮影した画像やデジタル化された画像（デジタイズ画像）を記録した記録媒体を装填した後、迅速に、プリント作成コマの選択などの本来の注文操作を実行することができ、フォトラボやプリントショップ等での店頭注文受付や、一般ユーザによるプリント注文受付を効率よく行うことを可能にするプリント注文受付装置を提供することにある。
【課題を解決するための手段】
【００１０】
前記目的を達成するために、本発明は、記録媒体に記録された画像の画像データを読み取る読取手段と、前記読取手段によって読み取られた画像データの画像を表示するディスプレイと、前記記録媒体に記録された画像のプリント注文の入力手段と、前記読取手段が読み取った画像データの画像を前記ディスプレイに表示し、この表示画像を用いた前記入力手段による注文指示を受けて、注文情報を生成する第１の処理系と、前記読取手段によって読み取られた画像の画像データを記憶する第１の記憶手段と、前記第１の処理系による処理と並行して、前記読取手段が読み取った画像データを前記第１の記憶手段に記憶する第２の処理系とを有し、前記第１の処理系が生成した注文情報と、前記第２の処理系において前記第１の記憶手段に記憶した画像データとを、対応付けして出力することを特徴とするプリント注文受付装置を提供するものである。
【００１１】
このような本発明のプリント注文受付装置において、前記ディスプレイに表示される画像は、前記第１処理系が前記注文情報を生成するために、前記入力手段による注文指示を行うための操作表示用コマ画像サイズに合う小サイズ画像またはサムネイル画像であるのが好ましい。
また、前記第１の処理系は、前記読取手段が読み取った画像の画像データの画像ファイルの形式に応じて、所要の画像を前記ディスプレイに表示するのが好ましい。
また、前記画像ファイルの形式は、前記読取手段が前記画像ファイルのヘッダのみを読み取り、前記第１の処理系が読み取られたヘッダのみを解析して判定するのが好ましい。
【００１２】
また、前記第１の処理系は、前記画像ファイルが前記サムネイル画像を有する画像ファイルの場合には、このサムネイル画像を前記ディスプレイに表示し、前記サムネイル画像を有さない非圧縮画像データの画像ファイルの場合には、非圧縮画像データをリサイズした画像を前記ディスプレイに表示し、前記サムネイル画像を有さない圧縮画像データのファイルの場合には、圧縮画像データを解凍してリサイズした画像を前記ディスプレイに表示するのが好ましい。
また、前記リサイズした画像は、前記第１処理系が前記注文情報を生成するために、前記入力手段による注文指示を行うための操作表示用コマ画像サイズに合う小サイズ画像またはサムネイル画像であるのが好ましい。
【００１３】
また、前記第２の処理系において前記画像の画像データを記憶する前記第１の記憶手段とは別に、前記第１の処理系が注文情報を生成するために、前記ディスプレイに表示された画像を記憶する第２の記憶手段を有するのが好ましい。
また、前記第１の記憶手段は、前記読取手段、前記ディスプレイ、前記入力手段および前記第１の処理系とを備える受付装置本体と、別体の外部記憶手段であるのが好ましい。
また、前記第１の記憶手段および前記第２の処理系を備えるプリント先振分装置は、前記読取手段、前記ディスプレイ、前記入力手段および前記第１の処理系とを備える受付装置本体と、別体であるのが好ましい。
また、前記プリント先振分装置は、さらに、前記受付装置本体の前記第１の処理系によって生成された前記注文情報に対応する画像を選択して、その画像データを前記第１の記憶手段から読み出す画像選択手段を有するのが好ましい。
【００１４】
また、１つの前記外部記憶手段または１台の前記プリント先振分装置には、複数の前記受付装置本体が接続されるのが好ましい。
また、少なくとも前記第２の処理系を備える装置本体、または少なくとも前記第２の処理系を備えるプリント先振分装置には、複数のデジタルフォトプリンタが接続されるのが好ましい。
【発明の効果】
【００１５】
本発明のプリント注文受付装置によれば、デジタルカメラ等で撮影した画像のプリント注文において、記録媒体を装填した後、迅速に注文操作を開始することができ、デジタルカメラ等で撮影した画像のプリント注文受付を、効率よく行うことができる。
【発明を実施するための最良の形態】
【００１６】
以下、本発明のプリント注文受付装置について、添付の図面に示される好適実施例を基に詳細に説明する。
【００１７】
図１に、本発明のプリント注文受付装置の一実施例の概念的なブロック図を示し、図２に、図１に示すプリント注文受付装置のシステム構成一実施例のブロック図を示す。
図１および図２に示されるプリント注文受付装置（以下、受付装置とする）１０は、例えば、フォトラボやプリントショップ（以下、フォトラボという）等のオペレータがユーザのプリント注文に応じて操作を行う装置、あるいはフォトラボなどの店頭に設置されてプリントを注文するユーザ自身が操作を行う自動装置であって、基本的に、装置本体１２と、ディスプレイ１４と、操作手段１６とを有する。
また、図示は省略するが、受付装置１０には、料金や受付番号等を示した注文伝票を印刷して出力する伝票印刷プリンタなど、（デジタル）画像データからのプリント注文を受け付ける公知のプリント注文受付装置が有する、各種の構成要素を有してもよい。
【００１８】
このような受付装置１０は、記録媒体からデジタルカメラ等で撮影された画像や、デジタル化サービスによって記録されていた画像の画像ファイルを読み取り、プリントを作成するコマやプリント枚数などの注文情報を画像ファイルに付加して、例えば、前述のデジタルフォトプリンタや画像処理装置、図示例ではプリンタ２８に出力するものである。
【００１９】
図示例において、ディスプレイ１４は公知の表示装置であって、例えば、ＣＲＴ(Cathode Ray Tube)やＬＣＤ（液晶ディスプレイ）である。また、操作手段１６は、マウスやキーボードなどの公知の操作手段である。
受付装置１０においては、ディスプレイ１４の表示と操作手段１６とを用いたＧＵＩ
(Graphical User Interface)を利用して、プリントの注文操作等の各種の操作を行う。また、ディスプレイ１４をタッチパネル型のディスプレイとして、ディスプレイ１４が操作手段を兼ねてもよく、ディスプレイ１４によるタッチパネル操作と操作手段１６による操作を併用したり、選択可能にしてもよい。
【００２０】
装置本体１２は、基本的に、読取手段１８と、受付処理系２０と、保存処理系２２と、記憶手段（ハードディスク）２４と、出力部２６とを有する。
読取手段１８は、デジタルカメラ用メディアやＣＤ−Ｒなどの記録媒体に記録された画像（データ）ファイルを読み取るものである。本発明が対象とする記録媒体には限定はなく、画像ファイルを記録可能であれば、どのような記録媒体でもよく、スマートメディアTMやｘＤピクチャカードTM、コンパクトフラッシュTM、メモリスティックTM、ＳＤメディアカードTM、マイクロドライブTMなどの、デジタルカメラやカメラ付き携帯電話等で撮影された画像（デジタル画像データ）を記録するデジタルカメラ用メディア、画像のデジタル化サービス等によって画像（デジタル画像データ）が記録されたＣＤ−Ｒ（ＲＷ）、ＭＤ、ＭＯ、フレキシブルディスク、ＺＩＰTM等の各種の記録媒体（記録メディア）が利用可能である。
読取手段１８は、対象とする記録媒体に応じた公知のものを用いればよい。また、インターネット等のコンピュータ通信ネットワークから画像ファイルを取得する手段も、読取手段１８として利用可能である。さらに、装置本体１２は、複数種の読取手段１８を有してもよい。
【００２１】
受付処理系２０は、本発明における第１の処理系に該当するものであって、読取手段１８が読み取った画像ファイルの解析、プリント注文のためにディスプレイ１４に表示する各コマの画像の表示用（画像）データの生成および表示、操作手段１６を用いたプリント注文指示に応じた注文情報の生成など、ディスプレイ１４や操作手段１６を用いた受付装置１０における注文操作を行うための処理系である。
他方、保存処理系２２は、本発明における第２の処理系に該当するものであって、読取手段１８が読み取った画像ファイルを、装置本体が有する記憶手段２４（図２に示す例では、ハードディスク２４）に記憶（ダウンロード）するための処理系である。
【００２２】
受付装置１０においては、記憶手段２４に画像ファイルを全て記憶し、かつ、操作手段１６による注文操作が終了したら、保存処理系２２からの画像ファイルに受付処理系２０からの注文情報を付加して、もしくは画像ファイルに注文情報をリンクして、すなわち、両者を対応付けて、出力部２６から、前述の（デジタルフォト）プリンタ２８等に出力する。
【００２３】
ここで、本発明に係る受付装置１０においては、読取手段１８が読み取った画像ファイル（デジタル画像データ）を、受付処理系２０と保存処理系２２との両方に並列に供給して、両処理系において、並列して処理を行う。すなわち、保存処理系２２において、画像ファイルを記憶手段（ハードディスク）２４に記憶しつつ、並行して、受付処理系２０で各コマの表示用データを生成して、ディスプレイ１４に表示し、操作手段１６を用いて入力された注文操作を受け付ける。
【００２４】
これにより、記録媒体に記録された画像ファイルの記憶手段（ハードディスク）２４への記憶終了を待つことなく、受付処理系２０で、順次、データを解析／処理して、注文操作用の各コマの画像を表示できる。すなわち、受付処理系２０では、表示用画像メモリ３０へ画像ファイルを読み込む際に、まず、最初に、そのヘッダ部のみを読み取り、ヘッダ部を解析し、画像ファイルの形式を判定し、判定した画像ファイルの形式に応じた読込を行い、読み込まれた画像データを、そのまま、もしくは、必要に応じて拡縮処理部３２で注文操作表示用コマ画像サイズに合うようにリサイズして、表示用画像データとして表示用画像メモリ３０に読み込むと共に、ディスプレイ１４の注文指示画面に小サイズ画像(サムネイル)画像を表示し、操作手段１６による注文操作（注文情報の入力）を受け付ける。
【００２５】
従って、本発明によれば、記録媒体を装填した後、迅速に注文操作を開始することができ、デジタルカメラ等で撮影した画像やＣＤ−Ｒ等のメディアに記録された画像のプリント注文受付を、効率よく行うことができる。
【００２６】
ここで、受付装置１０においては、好ましい態様として、受付処理系２０は、読取手段１８が読み取ったデジタル画像データの画像ファイル（データファイル）のファイル形式に応じて、各コマの表示画像の表示用データを異なる方法で生成する。
【００２７】
まず、画像ファイルにサムネイル画像が記録されている場合には、受付処理系２０は、サムネイル画像データのみを表示用画像メモリ３０に読み取ってそのままディスプレイ１４による表示用データとし、それ以外のデータは読み飛ばす。
また、画像ファイルが、サムネイル画像が記録されていない非圧縮画像データのファイル形式の場合には、受付処理系２０は、各コマの画像データを、注文操作表示用コマ画像サイズに合うように、間引きしながら読み込み、すなわち、リサイズして、ディスプレイ１４による表示に対応する、例えば、小サイズ画像(サムネイル)画像の表示用データとする。
さらに、画像ファイルが、サムネイル画像が記録されていない圧縮画像データのファイル形式の場合には、受付処理系２０は、各コマの圧縮画像データを表示用画像メモリ３０に読み取って、解凍した後、拡縮処理部３２で注文操作表示用コマ画像サイズに合うようにリサイズして、ディスプレイ１４による表示に対応する、例えば、小サイズ画像(サムネイル)画像を表示用データとする。
【００２８】
デジタルカメラ等で撮影された画像やＣＤ−Ｒ等のメディアに記録された画像の画像データの画像ファイル（画像ファイルフォーマット）としては、通常、Ｅｘｉｆが用いられる。ここで、例えば、デジタルカメラによる画像データとしては、ＲＧＢ非圧縮データ、ＹＣｂＣｒ非圧縮データ、および、ＪＰＥＧ圧縮データ等が知られており、画像データの種類に応じて、Ｅｘｉｆのファイル形式が定められている。
従って、画像ファイルのファイル形式は、画像ファイルのヘッダ部の解析等によって、判別することができる。
【００２９】
サムネイル画像は、何れのファイル形式でも記録することができ、その有無も、画像ファイルの解析、特にヘッダ部の解析で判別できる。
例えば、非圧縮データの画像ファイルでは、サムネイル画像を記録しない場合には、サムネイル画像に対応する１thＩＦＤ(Image File Directory)の先頭番地を示す０thＩＦＤのOffset of NextＩＦＤが00000000.Hで終端するので、これを用いてサムネイル画像の有無を判別すればよい。他方、圧縮データの画像ファイルでは、Ｅｘｉｆ付加情報を記録するアプリケーションマーカセグメント１（ＡＰＰ１）の１thＩＦＤにサムネイル画像を記録できるので、ＡＰＰ１に記録された情報を解析して、サムネイル画像の有無を判別すればよい。
【００３０】
以下、図２に示す受付装置１０のシステム構成の一実施例を参照して、受付装置１０の作用を説明することにより、本発明のプリント注文受付装置について、より詳細に説明する。
なお、図２において、切替器３４は、ハードディスク２４へのデータ入力およびデータ出力を切り替えるものである。また、読取手段１８によるデータの読み取り、ＦＩＦＯ−１およびＦＩＦＯ−２、切替器３４、表示用画像メモリ３０、ハードディスク２４などにおけるデータ入力や出力の切り替え等は、ＣＰＵ３６からの指示に応じてＲ／Ｗタイミング信号発生部３８からの信号に応じて行われる。
【００３１】
読取手段１８に記録媒体が装填されると、読取手段１８が画像ファイルの読み取りを開始し、読取手段１８は、受付処理系２０に対応するＦＩＦＯ（メモリ）−１と、保存処理系２２に対応するＦＩＦＯ（メモリ）−２との両者に、読み取った画像ファイルを並行に供給する。
【００３２】
保存処理系２２においては、データを受けたＦＩＦＯ−２は、先入れ先出し法（first-in, first-out）によって、順次、画像ファイル（その各データ）を記憶すると共に出力し、例えば、ＤＭＡ(Direct Memory Access)転送で、画像ファイルを切替器からハードディスクに送り、全ての画像ファイルを記憶する。
【００３３】
前述のように、読取手段１８が読み取った画像ファイルは、ＦＩＦＯ−２と共にＦＩＦＯ−１にも供給され、保存処理系２２でのハードディスク２４への画像ファイルの記憶に並行して、以下の処理が行われる。
【００３４】
データを受けたＦＩＦＯ−１は、同様に、先入れ先出し法によって、順次、画像ファイルを記憶すると共にバスライン４０に出力し、ＲＡＭ４２が画像ファイルを記憶する。
ＲＡＭ４２が画像ファイルを記憶すると、ＣＰＵ３６が読み出し、解析を開始する。ＣＰＵ３６は、まず、画像ファイルのヘッダを解析して、画像ファイルのファイル形式を識別して画像データの種類（圧縮データか非圧縮データか）を判別し、さらに、サムネイル画像が記録されているか否かを判定する。なお、ＲＯＭ４４は、ＣＰＵ３６で行われる注文指示のための種々のプログラムや種々のデータやパラメータを記憶している。
【００３５】
サムネイル画像が記録されている場合には、他のデータは読み飛ばして、サムネイル画像データのみを抽出して、これを表示用（画像）データとして、ＲＡＭ４２から読み出して表示用画像メモリ３０に記憶させる。
画像ファイルにサムネイル画像が記録されておらず、画像データが非圧縮データである場合には、ＣＰＵ３６は、ＲＡＭ４２から画像データを抽出しながら（間引きしながら）読み出し、表示用画像メモリ３０に記憶させる。なお、ここで、ＣＰＵ３６がＲＡＭ４２から読み出した画像データを拡縮処理部３２でリサイズして、表示用画像メモリ３０に記憶させても良い。
さらに、画像ファイルにサムネイル画像が記録されておらず、画像データが圧縮データである場合には、ＣＰＵ３６は、圧縮データをＲＡＭ４２から読み出して解凍し、抽出して（間引いて）、表示用画像メモリ３０に記憶させる。なお、ここで、ＣＰＵ３６が圧縮データをＲＡＭ４２から読み出して解凍し、拡縮処理部３２でリサイズして、表示用画像メモリ３０に記憶させても良い。
【００３６】
なお、画像ファイルがサムネイル画像を有さない場合には、表示用画像メモリ３０への画像データの記憶を、画像データを間引きしつつ行ってもよい。
【００３７】
表示用画像メモリ３０に表示用データを記憶した後、次いで、ＣＰＵ３６は、１コマずつ、順次、読み出して、必要に応じて拡縮処理部３２でリサイズ（拡大もしくは縮小の電子変倍処理）して、表示画像に応じたサイズの表示用データとし、表示メモリ４６に記憶する。
表示メモリ４６が所定コマ数の表示用データを記憶すると、ディスプレイコントローラ４８がディスプレイ１４に注文操作画面を表示すると共に、表示メモリ４６から各コマの表示用データを読み出して、ディスプレイ表示に対応する画像データに変換して、各コマの画像をディスプレイ１４に表示した注文操作画面の所定位置に表示する。注文操作画面の一例を、図３に示す（枠Ｓは、選択されたコマを示す）。
【００３８】
ディスプレイ１４が注文操作画面および各コマの画像を表示すると、操作者（プリントを注文するユーザや、フォトラボなどのオペレータ）による、プリントの注文操作が開始され、操作手段１６を用いて、プリントを作成するコマの選択、各コマ毎のプリント枚数の指示、プリントサイズ等の注文情報が入力指示される。これらの操作は、前述のようにディスプレイ１４の表示と操作手段１６を用いたＧＵＩを利用して、例えば公知のプリント注文受付装置と同様に行うようにすればよい。
ＣＰＵ３６は、この操作手段１６を用いた入力指示に応じて、画像ファイル中におけるプリントを作成するコマ、各コマのプリント枚数、各コマのプリントサイズ等、プリント注文に応じたプリント作成に必要な情報を有する注文情報を生成して、ＲＡＭ４２に記憶する。
【００３９】
なお、前述のように、読取手段１８が読み取ったデータは、ＦＩＦＯ−１およびＦＩＦＯ−２の両者に並列で供給され、ＦＩＦＯ−１による画像ファイルの記憶／出力〜ＣＰＵによる解析〜各コマの画像表示〜入力指示に応じた注文情報の生成等の各作用、すなわち受付処理系２０による作用と、ＦＩＦＯ−２が記憶／出力した画像ファイルのハードディスク２４への記憶、すなわち保存処理系２２の作用とは、並列で進行する。
【００４０】
ハードディスク２４による画像ファイルの全ての記憶が終了し、かつ、操作手段１６による操作で注文操作終了の指示が入力されると、ＣＰＵ３６は、ハードディスク２４から画像ファイルを、ＲＡＭ４２から注文情報を、それぞれ読み出して、画像ファイルに注文情報を付加（もしくはリンク）して、ネットワークＩ／Ｆ（出力部）２６から（デジタルフォト）プリンタ２８等に出力する。
本発明のプリント注文受付装置は、基本的に以上のように構成される。
【００４１】
次に、図４に、本発明のプリント注文受付装置の他の実施例の概念的なブロック図を示す。
図４に示す受付装置５０は、図１に示す受付装置１０と、受付処理系２０に記憶手段５４が設けられている点および装置本体５２に複数のプリンタ２８ａ、２８ｂ、２８ｃおよび２８ｄの４台が接続されている点で異なるが、それ以外は基本的に同様の構成を有するものであるので、同一の構成要素には、同一の番号を付し、その説明を省略する。
【００４２】
図４に示す受付装置５０は、基本的に、装置本体５２と、ディスプレイ１４と、操作手段１６とを有し、装置本体５２には、複数のプリンタ２８ａ、２８ｂ、２８ｃおよび２８ｄの４台が接続されている。
ここで、装置本体５２は、基本的に、読取手段１８と、受付処理系２０と、保存処理系２２と、記憶手段（ハードディスク）２４と、出力部２６と、記憶手段５４とを有する。
【００４３】
記憶手段５４は、受付処理系２０に接続され、受付処理で用いられる、すなわち、受付処理でディスプレイに表示された小サイズの画像、例えば、サムネイル画像を記憶しておくためのものである。
本実施例においては、受付処理系２０からプリンタ２８ａ、２８ｂ、２８ｃ、２８ｄのいずれかに注文画像の画像データおよびその注文情報（注文データ）とを伝送しても、受付処理系２０の小サイズの画像（サムネイル画像）の画像デ−タは、記憶手段５４に記憶されており、消えてしまうことがないので、さらなる追加注文指示が可能である。すなわち、本実施形態の受付装置５０では、小サイズの画像（サムネイル画像）が記憶手段５４に記憶されているので、操作手段１６による操作によって、受付処理系２０に記憶手段５４から小サイズの画像を呼び出し、ディスプレイ１４に再度表示させることにより、新たな追加注文指示を行うことができる。
【００４４】
例えば、フォトラボのオペレ−タが、顧客と対話しながら、受付装置５０を操作して顧客の注文を受け付けて、顧客がプリント注文の迅速処理を希望する場合には、高速プリンタまたはプリンタの高速モード(迅速処理モード）を用いて、高速プリント処理を行うので、顧客は、数分で仕上がりプリントを受け取ることができる。
このような場合、オペレータは、受付装置５０で、まず、通常サイズでプリントする一般的なプリント注文を受け付けて、例えば、通常のプリントを行うプリンタ２８ａに高速モードでプリント指示を行う。次に、この通常サイズのプリントの仕上がりまで数分であるので、この仕上がりを待つ間に、オペレータは、受付装置５０を操作し、記憶手段５４に記憶されているサムネイル画像を呼び出して、ディスプレイ１４に表示し、大伸ばし、カレンダープリント、フレームプリントなどの付加価値プリントのサンプル例を顧客に示しながら、付加価値プリントを推奨することができる。この時、プリンタ２８ｂ、２８ｃおよび２８ｄは、付加価値プリント用のプリンタとすることができる。
【００４５】
以上の説明より明らかなように、本発明の受付装置１０および５０によれば、画像ファイルの記録（ダウンロード）と、注文操作のための処理ならびに注文操作を並行して行うことができるので、記録媒体に記録された画像ファイルのハードディスクへの記憶終了を待つことなく、記録媒体を装填した後、迅速に注文操作を開始することができ、デジタルカメラ等で撮影した画像のプリント注文受付を、効率よく行うことができる。
【００４６】
なお、上述した本発明の受付装置１０および５０において、注文画面におけるディスプレイ１４の各コマ画像の表示は、表示メモリにおける表示データの記憶の進行に応じて、表示が可能なコマから、順次、表示してもよく、あるいは、所定コマ数の表示が準備できたら、所定コマ数の画像を一度に表示するようにしてもよい。
【００４７】
注文画面において、ディスプレイの１画面に表示するコマ数にも、特に限定はなく、画像ファイルに記録される全コマを１画面に表示してもよく、１０コマずつ、２０コマずつなど、適宜、設定されたコマ数ずつ、１画面に表示するようにしてもよい。
ここで、画像ファイルに記録される画像データの総数（総コマ数）は、通常、ヘッダ等の解析で知見できる。これを利用して、画像ファイルの総コマ数を知見した時点でディスプレイ１４に総コマ数を表示し、操作者が１画面の表示コマ数を選択できるようにしてもよい。あるいは、総コマ数から、ＣＰＵが画面の表示コマ数を自動決定するようにしてもよい。
なお、注文画面の１画面に表示コマ数を、適宜、変更する場合には、表示するコマ数に応じて、各コマのサイズを自動的に変更するようにしてもよい。
【００４８】
ディスプレイの１画面に画像ファイルの全コマを表示しない場合は、スクロールによって全コマを観察できるようにしてもよく、ページの切替のようにして、全コマを観察できるようにしてもよい。
【００４９】
また、以上の例では、画像ファイルを記憶する記憶手段２４としてハードディスクを用いたが、本発明はこれに限定はされず、充分な記憶容量を有するものであれば、フラッシュメモリなどの不揮発性メモリやＤＲＡＭなどの揮発性メモリ等のメモリを記憶手段として用いてもよい。
さらに、読取手段１８が読み取った画像ファイルの記憶手段２４は、受付装置１０および５０が内蔵する記憶手段に限定されず、受付装置本体に外部接続される記憶手段でもよく、あるいは、デジタルフォトプリンタの画像処理装置が有する記憶手段を本発明における記憶手段として、画像ファイルを記憶するようにしてもよい。
【００５０】
図５に、本発明のプリント注文受付装置のさらに他の実施例として、受付装置本体に外部接続される記憶手段を持つ実施例の概念的なブロック図を示す。
図５に示す受付装置６０は、図４に示す受付装置５０と、装置本体５２内の保存処理系２２および記憶手段２４の機能を独立させ、受付装置本体６２とは別体のプリント先振分装置を設けている点で異なるが、それ以外は、基本的に同様の構成を有するものであるので、同一の構成要素には、同一の番号を付し、その説明を省略する。
【００５１】
図５に示す受付装置６０は、基本的に、受付装置本体６２と、プリント先振り分け装置６４と、ディスプレイ１４と、操作手段１６とを有し、プリント先振分装置６４には、複数のプリンタ２８ａ、２８ｂ、２８ｃおよび２８ｄの４台が接続されている。
ここで、受付装置本体６２は、基本的に、読取手段１８と、受付処理系２０と、記憶手段５４とを有する。
また、プリント先振分装置６４は、保存処理系２２と、画像選択手段６６と、記憶手段（ハードディスク）２４と、出力部２６とを有し、保存処理系２２で、読取手段１８によって記録媒体から読み取られた画像ファイルの画像データを読み込んで記憶手段２４に記憶すると共に、画像選択手段６６によって、受付装置本体６２で受け付けられ、受け付け処理系２０で生成された注文情報に対応する画像の画像データを記憶手段２４から読み出して、注文情報と対応させて、出力部２６からプリンタ２８ａ〜２８ｄのいずれかに出力するものである。
【００５２】
この受付装置６０においては、図４に示す受付装置５０における効果に加え、受付装置本体６２から記憶手段２４を除いたことによる受付装置本体６２の小型化、コストダウンが図れるという更なる効果を奏する。
特に、図中点線で示すように、本実施例においては、外部に記憶手段２４を設けることができるので、もう１台の受付装置本体６２をプリント先振分装置６４を接続することができる。その結果、１台のプリント先振分装置６４に対して複数台の受付装置本体６２を接続して用いることができるので、受付装置全体として装置のコストダウンを図ることができる。
【００５３】
以上、本発明のプリント注文受付装置について、種々の実施例を挙げて詳細に説明したが、本発明は上記実施例に限定はされず、本発明の要旨を逸脱しない範囲において、各種の改良や変更を行ってもよいのは、もちろんである。
【図面の簡単な説明】
【００５４】
【図１】本発明のプリント注文受付装置の一実施例の概念的なブロック図である。
【図２】図１に示されるプリント注文受付装置のシステム構成の一実施例を示すブロック図である。
【図３】図１に示されるプリント注文受付装置の注文画面の一例である。
【図４】本発明のプリント注文受付装置の他の実施例の概念的なブロック図である。
【図５】本発明のプリント注文受付装置のさらに他の実施例の概念的なブロック図である。
【符号の説明】
【００５５】
１０，５０，６０  （プリント注文）受付装置
１２，５２，６２  装置本体
１４  ディスプレイ
１６  操作手段
１８  読取手段
２０  受付処理系
２２  保存処理系
２４  記憶手段（ハードディスク）
２６  出力部（ネットワークＩ／Ｆ）
２８，２８ａ，２８ｂ，２８ｃ，２８ｄ  （デジタルフォト）プリンタ
３０  表示用画像メモリ
３２  拡縮処理部
３４  切替器
３６  ＣＰＵ
３８  Ｒ／Ｗタイミング信号発生部
４０  バスライン
４２  ＲＡＭ
４４  ＲＯＭ
４６  表示メモリ
５４  記憶手段
６４  プリント先振分装置
６６  画像選択手段
【図１】
2004318129.tif 000003
【図２】
2004318129.tif 000004
【図３】
2004318129.tif 000005
【図４】
2004318129.tif 000006
【図５】
2004318129.tif 000007